(57)【特許請求の範囲】
【請求項１】
ステレオペア画像が印刷された支持体のそのステレオペア画像が印刷されていない部分に、両目の間隔で第１開口部（３a）と第２開口部（４ａ）とを穿設し、
これらの開口部（３ａ、４ａ）に補色関係にある第１有色フィルタと第２有色フィルタとを設け、
前記ステレオペア画像を鏡に写し、この鏡に写したステレオペア画像を、前記第１有色フィルタと第２有色フィルタとを通して見ることにより、立体画像が鑑賞できるように構成したことを特徴とする立体像形成具。
【請求項２】
前記第１有色フィルタは右目用青色フィルタ（３）であり、前記第２有色フィルタは左目用赤色フィルタ（４）であることを特徴とする請求項１に記載する立体像形成具。
【請求項３】
前記第１有色フィルタと前記第２有色フィルタとの配置方向は、前記ステレオペア画像の色のずらし方向と平行であることを特徴とする請求項１または請求項２に記載の立体像形成具。
【請求項４】
前記支持体は、カードであることを特徴とする請求項１乃至請求項３のいずれか１項に記載の立体像形成具。
【発明の詳細な説明】
【０００１】
【発明の属する技術分野】
本発明は、アナグリフ用の赤青眼鏡を別途必要とせずに、アナグリフ方式により生成したステレオペア画像を立体視できる立体像形成具に関する。
【０００２】
【従来の技術】
一般に、立体像を鑑賞する場合、アナグリフ方式が利用されている。この方式は、補色関係にある２色（例えば赤色と青色）で描かれたステレオペア画像（例えば、赤色画像と青色画像）を、共通の透過波長域をもたない２色の有色フィルタを通して見ることによって、この２色の画像を選択・分離し、立体視するものである。
アナグリフ方式によるステレオペア画像は、カードなどに簡単に印刷できたり、３Ｄ映画やインターネットによるＷｅｂサイトにより手軽に提供でき、一般に広く普及している。
【０００３】
【発明が解決しようとする課題】
しかしながら、従来技術の前記２色の有色フィルタは、一般に立体像の鑑賞用として製造された特殊な眼鏡として構成されている。そのため、ステレオペア画像を立体視するためには、別途に、アナグリフ用の赤青眼鏡が必要である。したがって、ステレオペア画像による立体像を鑑賞するためには、別途に、アナグリフ用の赤青眼鏡を入手しなければならない。また、入手した場合でも、立体像を鑑賞するときには、アナグリフ用の赤青眼鏡を探さなければならない。
【０００４】
そこで、本発明は、別体でアナグリフ用の赤青眼鏡がなくても、ステレオペア画像を立体視することができる立体像形成具を提供することを課題とする。
【０００５】
【課題を解決するための手段】
本発明の請求項１に係る立体像形成具は、ステレオペア画像が印刷された支持体のそのステレオペア画像が印刷されていない部分に、両目の間隔で第１開口部（３a）と第２開口部（４ａ）とを穿設し、これらの開口部（３ａ、４ａ）に補色関係にある第１有色フィルタと第２有色フィルタとを設け、前記ステレオペア画像を鏡に写し、この鏡に写したステレオペア画像を、前記第１有色フィルタと第２有色フィルタとを通して見ることにより、立体画像が鑑賞できるように構成したことを特徴とする。
【０００６】
この立体像形成具によれば、支持体に表示されているステレオペア画像（５）を鏡に写し、その鏡に写ったステレオペア画像（５）を、支持体に設けられた第1有色フィルタである右目用青色フィルタ（３）と第２有色フィルタである左目用赤色フィルタ（４）を通して見ることによって、立体像を鑑賞できる。そのため、この立体画像形成具では、別途にアナグリフ用の赤青眼鏡を必要としない。
【０００７】
なお、第１有色フィルタの色と第２有色フィルタの色とが補色関係であれば、アナグリフ方式で主に用いられる青色と赤色とに限定されず、例えば、第１有色フィルタの色を緑色に、第２有色フィルタの色を赤色になどとしても、立体像を鑑賞することができる。
【０００８】
また、請求項２に係る立体像形成具は、前記第１有色フィルタは右目用青色フィルタ（３）であり、前記第２有色フィルタは左目用赤色フィルタ（４）であることを特徴とする。
この立体像形成具によれば、いわゆる、色相還を示す１２色の中で赤色と青緑色とが、補色関係が一番強く、非常に目立つ配色関係となるので、２つの有色フィルタの色を赤系色と青系色にすることにより、非常に鮮明な立体像となる。
【０００９】
また、請求項３に係る立体像形成具は、前記請求項１または請求項２に係る立体像形成具において、前記第1有色フィルタと第２有色フィルタとの配置方向は、前記ステレオペア画像の色のずらし方向と平行であることを特徴とする。
この立体像形成具によれば、鑑賞者の両目が、ステレオペア画像の２色のずらし方向と平行となるので、非常に精度よく生成される立体像を鑑賞できる。
【００１０】
さらにまた、請求項４に係る立体像形成具は、請求項１乃至請求項３のいずれか１項に係る立体像形成具において、前記支持体は、カードであることを特徴とする。
この立体像形成具によれば、印刷物など、安価で提供、かつ、大量生産し易いカードとして、立体像形成具を製造することができる。
【００１１】
【発明の実施の形態】
以下、本発明の実施の形態を、図面を参照して詳細に説明する。
図１は本実施の形態に係る立体像鑑賞葉書の正面図、図２は本実施の形態に係る立体像鑑賞葉書で、立体像を鑑賞する場合の作用図、図３は図１の本実施の形態に係る立体像鑑賞葉書で鑑賞される立体像のイメージ図である。
【００１２】
まず、立体像形成具である立体像鑑賞葉書１の構成について説明する。
図１に示すように、立体像鑑賞葉書１は、葉書２の第1開口部３aに右目用青色フィルタ３が、第２開口部４aに左目用赤色フィルタ４が設けられるとともに、ステレオペア画像５が印刷されて構成されている。このステレオペア画像５は、鏡に写すと左右が正常に見えるように印刷されている。
なお、本実施の形態では、立体像鑑賞葉書１が特許請求の範囲に記載の立体像形成具に相当し、葉書２が特許請求の範囲に記載の支持体（カード）に相当し、右目用青色フィルタ３が特許請求の範囲に記載の第1有色フィルタに相当し、左目用赤色フィルタ４が特許請求の範囲に記載の第２有色フィルタに相当する。
【００１３】
前記第１開口部３ａおよび第２開口部４ａは、右目用青色フィルタ３および左目用赤色フィルタ4を葉書２に、その中心点が人の両目の中心間隔程度（例えば、２つの有色フィルタ３、４の中心点間の距離が７ｃｍ程度）離れた位置に取り付けるために必要な円形状の開口部であり、ステレオペア画像５のずらし方向と平行となる位置に開口される。両開口部３ａ、４ａは、直径数センチメートル（例えば、各２．５ｃｍ）の大きさの円形状である。
【００１４】
また、両有色フィルタ３、４を接着するため、図示しない糊代を葉書の宛名記載面側の両開口部３ａ、４ａの周囲に設けて、その上に２つの有色フィルタ３、４を接着する。補強のために、例えば、接着された有色フィルタ３、４の糊代部分の外側より数ミリメートル程度外側へ広げたドーナツ状の図示しない紙等を、更に有色フィルタ３、４の糊代部分を覆うような状態で接着する。
【００１５】
なお、開口部３ａ、４ａの形状および大きさは、立体像１２（図３参照）の鑑賞を目的に２つの有色フィルタ３、４に視線方向から接眼するための要素であるので、上記円形状に限らず、例えば、三角形、四角形などの多角形であってもよいし、２つの開口部３ａ、４ａが連続した形状であってもよい、また、大きさも、数ミリメートル〜数センチメートル前後しても構わない。
【００１６】
前記右目用青色フィルタ３および左目用赤色フィルタ４は、葉書２にその中心点が人の両目の中心間隔程度離れる位置に配置され、ステレオペア画像５を立体視するための有色のフィルタである。右目用青色フィルタ３を青系色と左目用赤色フィルタ４を赤系色とすることによって、青系色と赤系色の２色の補色関係が強くなり、より鮮明な立体像を鑑賞することができる。ステレオペア画像５を鑑賞するときに、右目用青色フィルタ３は赤系色画像（赤色画像７）を視認し、左目用赤色フィルタ４は青系色画像（青色画像６）を視認する機能を有し、後述するように非常に鮮明な立体像の鑑賞を可能とする。
【００１７】
なお、右目用青色フィルタ３および左目用赤色フィルタ４の形状は、円形状である。その大きさは、開口部３a、４aの直径よりも略３〜５ｍｍ大きい（糊代に相当）直径とする。また、その材質は、セロハン、アクリル、プラスチックなど、透過性があり、軽量、かつ、薄いものとする。なお、形状および大きさについて、本実施の形態の形状および大きさに限定されず、前記した開口部３a、４aの形状および大きさに合わせて適宜変更する。
【００１８】
前記ステレオペア画像５は、同一画像からなる青色画像（図１の太線部）６、赤色画像（図１の細線部）７および平面画像（図１の破線部）８、によって構成されている。図１に示すステレオペア画像５では、青色画像６および赤色画像７は人馬の絵柄と年月日（２００２．１．１）であり、平面画像８は山の絵柄である。
【００１９】
前記青色画像６は、アナグリフ方式によって、ステレオペア画像５を生成するための一要素となる画像である。立体像を鮮明に形成するためには補色関係の強い青系色と赤系色の２つの色系の使用が適しているので、本実施の形態では一方の色の画像として青色で生成している。青色画像６は、左目用赤色フィルタ４を通して視認される。赤色画像７も、青色画像６と同様に、アナグリフ方式によって、ステレオペア画像５を生成するための一要素となる画像である。青色画像６と同様の理由により、本実施の形態では他方の色の画像として赤色で生成している。赤色画像７は、右目用青色フィルタ３を通して視認される。
【００２０】
また、前記青色画像６および赤色画像７は、人の右目と左目の視差を利用して立体像を生成するための画像である。そこで、ステレオペア画像５を正面から水平に見た場合に青色画像６を左目用赤色フィルタ4によって視認するために、青色画像６は左水平方向にずらして生成されている。同様に、赤色画像７を右目用青色フィルタ３によって視認するために、赤色画像７は右水平方向にずらして生成されている。
【００２１】
前記平面画像８は、平面用の画像であり、前記両フィルタ３、４を通しても平面画像として鑑賞される。補色関係の色に限定されないことはいうまでもない。また、ステレオペア画像５は、鏡に写して鑑賞するため、左右反転した画像で生成されている。
【００２２】
図１に示す立体像鑑賞葉書１では、ステレオペア画像５を立体視するための要素となる画像として補色関係の強い青色画像６と赤色画像７とで構成しているため、右目用有色フィルタの色には青色を、左目用有色フィルタの色には赤色を使用した形態としている。
【００２３】
そして、以下に示す（イ）、（ロ）によって、前記立体像鑑賞葉書１が構成されているので、鏡に写して鑑賞した場合に、右目には右目用画像（赤色画像７）のみ、左目には左目用画像（青色画像６）のみを視認することができる。そして、ずらし方向が２つのフィルタ３、４の配置方向と平行であるステレオペア画像５を正しく見るために、人の目が内側に向けられる画像要素は近く感じられ、目が外側に向けられる画像要素は離れて感じられる。言い換えれば、互いに色を消し合うことによってステレオペア画像５は、フィルタ３、４を通して、各々の色画像６、７が選択されて、視認され鮮明に立体視される。また、ずらし間隔の大きい画像部分は、より近くに見ることができ、ずらし間隔が小さくなるに従って、画像部分は段々に離れて見える。
（イ）ステレオペア画像５を正面に葉書２の文章面２a側からみて、赤色画像７の配置を、青色画像６の配置より右平行方向にずらす。
（ロ） 葉書２の宛名記載面側からみて、右目用には青色フィルタ３を、左目には赤色フィルタ４をその中心を人の両目の中心間隔程度に離し、かつ、青色画像６と赤色画像７のずらし方向と平行な位置に配置する。
【００２４】
このように構成する立体像鑑賞葉書１であれば、２つの有色フィルタ３、４およびステレオペア画像５は、補色関係の強い色で構成されているため、非常に鮮明な立体像を鑑賞することができる。また、２つの有色フィルタ３、４の配置方向を青色画像６と赤色画像７のずらし方向と平行に構成しているため、非常に精度よく立体像を形成することができる。
【００２５】
次に、図１および図２を参照して、立体鑑賞葉書１を使用して立体像を鑑賞する方法について説明する。鑑賞者１１は、立体鑑賞葉書１を持って鏡１０の前方に立ち、ステレオペア画像５が印刷されている葉書２（立体像鑑賞葉書１）の文章面２a側を鏡１０の方向へ向ける。次に、鑑賞者１１は、葉書２に設けられている右目用青色フィルタ３および左目用赤色フィルタ４に両目を合わせ、このフィルタ３、４を通して鏡１０に写っているステレオペア画像５に視点を合わせて鑑賞する。このように行って鑑賞すると、図３に示すような、平面画像である山８の前面に、人馬１２ａおよび年月日１２ｂが、立体視される立体像１２が形成される。
【００２６】
以上、本発明の実施の形態について説明したが、本発明は、前記した実施の形態に限定されることなく、様々な形態で実施可能である。
例えば、２つの有色フィルタの色の関係は、補色関係であればよいので、青色と赤色の組み合わせに限定されることなく、赤色と緑色、青色と黄色の組み合わせ等の他の組み合わせでもよい。
【００２７】
また、本実施の形態においては、支持体を葉書とし、葉書の文章面にのみにステレオペア画像を印刷する構成としたが、例えば、支持体を所望のカードとし、両面（表裏）にステレオペア画像を印刷する構成とすると、1枚のカードで、２枚分の立体像を鑑賞することができる。
また、菓子類等の景品として使用したり、他のステレオペア画像がある場合には、通常のアナグリフ用の赤青眼鏡としても代替して使用できる。
【００２８】
また、支持体は、葉書に限定されるものではなく、雑誌などの広告ページやファッション雑誌のページなどにも適用できる。雑誌等の場合、アナグリフ用の青赤眼鏡を必要とせずに、かつ、ページを切り取ることなく、手軽に立体像を楽しむことができる。
【００２９】
また、立体像鑑賞葉書をダイレクトメールとして使用することにより、インパクトのあるダイレクトメールとなるので、顧客における開封率や顧客吸引力が上昇し、従来よりも効果的なＤＭ（ダイレクトメール）マーケティングの展開およびデータベースマーケティングの促進を図ることも可能となる。
【００３０】
さらにまた、本実施の形態では既製品として葉書にステレオペア画像が印刷されている場合を説明しているが、例えば、個人が自分の作品として立体像鑑賞葉書を作成することも可能である。その場合、葉書、有色フィルタ、ステレオペア画像の表示されたシールまたはＩｌｌｕｓｔｒａｔｏｒ、Ｐｈｏｔｏｓｈｏｐなど、ステレオペア画像用のグラフィック作成・編集ソフトウェア、そして立体像鑑賞葉書作成用マニュアルなどを、立体像鑑賞葉書作成システムまたはキットとしてセット販売することも可能である。
【００３１】
【発明の効果】
請求項１に記載の発明によれば、２つの有色フィルタとステレオペア画像とを一体で支持体に設ける構成としているので、アナグリフ用の赤青眼鏡を必要とせずに、鏡にステレオペア画像を写して、立体像を鑑賞することができる。
【００３２】
請求項２に記載の発明によれば、２つの有色フィルタの青系色と赤系色とは、補色関係が強く作用するので、立体像が非常に鮮明となる。
【００３３】
請求項３に記載の発明によれば、２つの有色フィルタの配置方向は、ステレオペア画像の色のずらし方向と平行になっているので、立体像を非常に精度よく形成できる。
【００３４】
請求項４に記載の発明によれば、支持体をカードにすることにより、低コストで簡単、かつ、大量に生産することが可能となり、消費者側からは安価で手軽に立体像を鑑賞することができる。
【図面の簡単な説明】
【図１】  本実施の形態に係る立体像鑑賞葉書の正面図である。
【図２】  図１の本実施の形態に係る立体像鑑賞葉書で、立体像を鑑賞する場合の作用図である。
【図３】  図１の本実施の形態に係る立体像鑑賞葉書で鑑賞される立体像のイメージ図である。
【符号の説明】
１    立体像鑑賞葉書（立体像形成具）
２    立体像（支持体、カード）
３    右目用青色フィルタ（第１有色フィルタ）
３ａ  第１開口部
４    左目用赤色フィルタ（第２有色フィルタ）
４ａ  第２開口部
５    ステレオペア画像
６    青色画像
７    赤色画像
【図１】
0003676744.tif 000002
【図２】
0003676744.tif 000003
【図３】
0003676744.tif 000004